(57)【特許請求の範囲】
【請求項１】
電線が挿入される差込口を有するキャップ部と、このキャップ部に一体形成され、端子ブロックに設けられた電線挿入孔に挿入可能な挿入突起部とから構成され、
前記キャップ部及び前記挿入突起部を絶縁性素材で構成し、
前記挿入突起部を前記電線挿入孔に挿着した際に前記電線挿入孔の開口周縁に当接されて該電線挿入孔を覆い塞ぐ封栓構造を有し、
前記封栓構造は、前記電線挿入孔の開口周縁に当接可能な鍔部を前記挿入突起部に設けて構成されることを特徴とする電線端末キャップ。
【請求項２】
電線が挿入される差込口を有するキャップ部と、このキャップ部に一体形成され、端子ブロックに設けられた電線挿入孔に挿入可能な挿入突起部とから構成され、
前記キャップ部及び前記挿入突起部を絶縁性素材で構成し、
前記挿入突起部を前記電線挿入孔に挿着した際に前記電線挿入孔の開口周縁に当接されて該電線挿入孔を覆い塞ぐ封栓構造を有し、
前記挿入突起部は、内部に絶縁性の流動物質が充填された形状変形可能な外殻体により構成され、
前記封栓構造は、前記挿入突起部を前記電線挿入孔に挿着した際に前記流動物質を前記挿入突起部の基端側に移動させて前記外殻体の一部を膨出させることにより前記電線挿入孔の周縁に当接させるものであることを特徴とする電線端末キャップ。
【請求項３】
前記キャップ部は前記挿入突起部を兼ねていることを特徴とする請求項２記載の電線端末キャップ。
【請求項４】
前記キャップ部には、他のキャップ部と連結する連結部材が一体に形成されていることを特徴とする請求項１〜３のいずれかに記載の電線端末キャップ。
【発明の詳細な説明】
【技術分野】
【０００１】
この発明は、例えば電力量計等の計器や引込分岐端子箱等の器具が有する端子から電線を一時的に取り外して不通電状態とした場合に、電線の端末に取り付けて用いられる電線端末キャップに関する。
【背景技術】
【０００２】
電力量計等の計器においては、例えば特許文献１に示されるように、計器本体の下部に並設された端子ブロックの電線挿入孔に電源側および負荷側の各電線を挿入し、この挿入された各電線を端子ねじで締め付けて固定するのが通常である。例えば、このような構成を有する三相３線式の計器においては、低圧電力契約を解除して電気供給を停止する場合に、図７に示されるように、電力量計１００の負荷側の３つの電線１０１、１０２、１０３を端子ブロック１０４の端子１０５，１０６，１０７から取り外すという作業を行う。
【０００３】
それと同時に、取り外した電線の端末を絶縁及び防水するために、各電線１０１、１０２、１０３の端末をテーピング処理したり、図７に示されるように、各電線１０１、１０２、１０３の端末に電線端末キャップ１０８を取り付けたりする作業を行う（特許文献２等参照）。また、端子の保護及び盗電防止を図るために、端子ブロック１０４の前面に端子を覆う端子カバー１０８を取り付けて封印処理を施すようにしている。
【特許文献１】特開２００３−７５４７０号公報
【特許文献２】特開平１０−２３３１３４号公報
【発明の開示】
【発明が解決しようとする課題】
【０００４】
しかしながら、上述のように各端子１０５，１０６，１０７を端子カバー１０８で覆って封印するようにしても、端子ブロック１０４の下面に開口された電線挿入孔１１０．１１１．１１２に針金等の導電体を差し込んで盗電するケースも考えられるため、更なる対策が必要となる。この際、端子ブロック１０４の下方からの盗電防止を図るために、端子カバー１０８の形状や端子ブロック１０４の構造を変更することも考えられるが、新たな端子カバーや端子ブロックの製造が必要となり、また、構造の複雑化のために部品点数が多くなる等の不都合が生じる。
また、上述した盗電防止を意識しつつ、計器の復旧作業を行う場合には、取り外した各電線を所定の端子に誤りなく接続することも要請される。
【０００５】
本発明は、かかる事情に鑑みてなされたものであり、復旧作業時における電線の端子への誤接続を防止すると共に、端子側の構造に変更を加えることなく盗電防止を効果的に図ることが可能な電線端末キャップを提供することを主たる課題としている。
【課題を解決するための手段】
【０００６】
上記課題を達成するために、本発明に係る電線端末キャップは、電線が挿入される差込口を有するキャップ部と、このキャップ部に一体形成され、端子ブロックに設けられた電線挿入孔に挿入可能な挿入突起部とから構成され、前記キャップ部及び前記挿入突起部を絶縁性素材で構成し、前記挿入突起部を前記電線挿入孔に挿着した際に前記電線挿入孔の開口周縁に当接されて該電線挿入孔を覆い塞ぐ封栓構造を有し、
前記封栓構造は、前記電線挿入孔の開口周縁に当接可能な鍔部を前記挿入突起部に設けて構成されることを特徴としている。
【０００７】
したがって、このような構成よれば、計器等の端子に接続されていた電線を取り外して電気供給を停止する場合には、取り外した電線の端末をキャップ部の差込口に挿入することで電線の端末に電線端末キャップを取り付け、その後、電線端末キャップの挿入突起部を電線を取り外した端子ブロックに設けられた電線挿入孔に挿着すれば、電線端末キャップの封栓構造により電線挿入孔の開口端が覆い塞がれる。このため、この封栓構造（鍔部）により、電線挿入孔の内壁と挿入突起部との隙間から針金等の導電体を挿入できる余地はなくなり、また、電線の端末に取り付けた電線端末キャップを電線を取り外した電線挿入孔に挿着させておくことで、取り外した電線とこれを装着すべき電線挿入孔との対応関係を明確にしておくことが可能となる。
ここで、挿入突起部をキャップ部の頂部に一体に形成し、封栓構造を、キャップ部の頂部で構成し、挿入突起部を電線挿入孔に挿入した際に電線挿入孔の周縁にキャップ部の頂部の端面を当接させることで電線挿入孔を覆い塞ぐようにしてもよい。
【０００８】
また、上記課題を達成するために、本発明に係る電線端末キャップは、電線が挿入される差込口を有するキャップ部と、このキャップ部に一体形成され、端子ブロックに設けられた電線挿入孔に挿入可能な挿入突起部とから構成され、
前記キャップ部及び前記挿入突起部を絶縁性素材で構成し、
前記挿入突起部を前記電線挿入孔に挿着した際に前記電線挿入孔の開口周縁に当接されて該電線挿入孔を覆い塞ぐ封栓構造を有し、
前記挿入突起部は、内部に絶縁性の流動物質が充填された形状変形可能な外殻体により構成され、
前記封栓構造は、前記挿入突起部を前記電線挿入孔に挿着した際に前記流動物質を前記挿入突起部の基端側に移動させて前記外殻体の一部を膨出させることにより前記電線挿入孔の周縁に当接させるものであってもよい。
【０００９】
ここで、電線端末キャップのキャップ部は挿入突起部を兼ねるようにしてもよい。
また、上述した各構成において、キャップ部に、他のキャップ部と連結する連結部材を一体形成するようにしてもよい。
【発明の効果】
【００１０】
以上述べたように、本発明に係る電線端末キャップを、電線が挿入されるキャップ部とこのキャップ部に一体形成された挿入突起部とにより構成し、この電線端末キャップに挿入突起部を電線挿入孔に挿着した際に電線挿入孔の開口周縁に当接されて該電線挿入孔を覆い塞ぐ封栓構造を設けたので、電気供給を停止する際には、電線の端末に電線端末キャップを取り付け、この電線端末キャップの挿入突起部を電線挿入孔に挿着させることで、電線挿入孔の開口周縁が電線端末キャップの封栓構造により覆い塞がれるので、電線挿入孔の内壁と挿入突起部との隙間から針金等の導電体を挿入することができなくなり、盗電を確実に防止することが可能となる。
また、電線端末キャップの挿入突起部を電線が取り外された電線挿入孔に挿着させることで、取り外した電線とこれを装着すべき電線挿入孔との対応関係を明確にしておくことが可能となり、電線と端子とを再接続する際の誤接続を防止することが可能となる。
【発明を実施するための最良の形態】
【００１１】
以下、この発明の実施形態について図面により説明する。
【００１２】
図１において、本発明に係る電線端末キャップ１を電力量計２に利用した例が示されている。同図に示される電力量計２は、屋外用計器箱３から蓋を外し、更に計器端子カバーを外した状態で示されており、計器本体の下部に端子ブロック４が設けられ、この端子ブロック４に、電源側の端子５，６，７と負荷側の端子８，９，１０とが設けられた三相３線式に対応したものとなっている。
【００１３】
電源側の端子５は、電源側電線の１つである電線１１の端末と接続され、端子６は電源側電線の１つである接地側電線１２の端末と接続され、端子７は電源側電線の１つである電線１３の端末と接続される。各電線１１，１２，１３の端末は、端子ブロック４に形成された電線挿入孔に挿入され、各端子５乃至７に対して端子ねじ１８、１９を締め付けることで保持されている。これらの端子５乃至７と電線１１乃至１３の端末とは、通常、電力量計２の計器本体を外すさない限り接続された状態であり、取り外されることはない。
【００１４】
また、負荷側の端子８は、通常時においては、負荷側電線の１つである電線１４の端末と接続され、端子９は負荷側電線の１つである接地側電線１５の端末と接続され、端子１０は負荷側電線の１つである電線１６の端末と接続され、端子ブロック４に形成された電線挿入孔を介して挿入された各電線の端末は、各端子８乃至１０に対して同様に端子ねじ１８、１９を締め付けることで保持されている。これに対して、電力契約が解除されて電気供給を停止する場合には、負荷側の全ての電線１４乃至１６を端子８乃至１０から一旦取り外し、同図に示されるように、電線端末キャップ１を介在させて対応する端子に取り付けるようにしている。
【００１５】
この電線端末キャップ１は、図２に示されるように、キャップ部２１と、挿入突起部２２とから構成されている。これらキャップ部２１及び挿入突起部２２は、合成樹脂等の絶縁性素材により形成されている。
【００１６】
このうち、キャップ部２１は、中空の略釣り鐘形状をなしているもので、当該キャップ部２１の長手方向の一端が閉塞されて頂部２３を構成し、他端が開口されて電線１４，１５，１６を挿入する差込口２４を構成している。このキャップ部２１は、差込口２４の開口端から頂部２３までの長手方向の寸法が約６．０ｃｍ、差込口２４の外形寸法が約２．５ｃｍに形成されている。
【００１７】
キャップ部２１の内部には、差込口２４から挿入された電線を保持する保持構造として、この例では、４つの薄板状の保持片２５〜２８がキャップ部２１の内面に９０度間隔で設けられ、保持片２５と保持片２７、保持片２６と保持片２８とが対峙するように、当該キャップ部２１の内周面から内側に突設されている。これら保持片２５乃至２８は、キャップ部２１の径方向の中心点から半径方向外側に向って伸縮又は座屈することができる弾性材で形成されている。
【００１８】
特に、この例では、各保持片２５乃至２８が、図２（ａ）に示されるように、差込口２４の開口端から突出量を徐々に大きくすることで、対峙する保持片間（例えば保持片２５と保持片２７との間）の寸法を差込口２４から奥側に向かうにつれて暫時小さくしたテーパ状の第１の先細り部位２９と、第１の先細り部位２９の終端から頂部２３に向かうにつれて第１の先細り部位２８とは異なる勾配で暫時突出量を大きくし、対峙する保持片間（例えば保持片２５と保持片２７との間）の寸法を頂部に向かうにつれて暫時小さくしたテーパ状の第２の先細り部位３０とにより構成されている。
【００１９】
これにより、径寸法の異なる電線をキャップ部２１の差込口２４から挿入する場合でも、確実に電線を保持することができる。すなわち、相対的に径寸法の小さな電線は、第２の先細り部位３０に至るまで差し込むことで、第２の先細り部位３０の内側面を形成する保持片２５と保持片２７、保持片２６と保持片２８とが、キャップ部２１の外周側に向って収縮或いは座屈し、その反発力により電線をキャップ部２１の中心方向に向けて押圧、挟持するので、電線はキャップ部２１内に保持される。また、相対的に径寸法の大きな電線は、第１の先細り部位２９まで差し込むことで、第１の先細り部位２９の内側面を形成する保持片２５と保持片２７、保持片２６と保持片２８とが、キャップ部２１の外周側に向って収縮或いは座屈し、その反発力により電線をキャップ部２１の中心方向に向けて押圧、挟持するので、電線はキャップ部２１内に保持される。
【００２０】
挿入突起部２２は、図２（ｂ）に示されるように、端子ブロック４の電線挿入孔３１に挿入されるもので、挿入突起部２２の径寸法は電線挿入孔３１の径より小さく形成され、挿入された後に端子８，９，１０に設けられた端子ねじ１８，１９を締め付けて端子８，９，１０に固定される。
【００２１】
この挿入突起部２２は、キャップ部２１に連続的に一体形成され、ある程度の硬度を有すると同時に、簡易に形状が変更できるようになっており、キャップ部２１の頂部から先端までの寸法が電線挿入孔３１の奥行きよりも短く形成されている。
【００２２】
また、前記キャップ部２１は、その径が挿入突起部２２の径および電線挿入孔３１の径より大きく形成され、挿入突起部２２を電線挿入孔３１に挿入して押し込んだ場合に、頂部２３の端面が電線挿入孔３１の開口周縁に当接されるようになっている。
【００２３】
以上の構成において、計器等の端子８，９，１０に接続されていた電線１４，１５，１６を取り外して電気供給を停止する場合には、取り外した電線１４，１５，１６の端末を電線端末キャップ１のキャップ部２１の差込口２４に挿入し、電線１４，１５，１６の端末にキャップ部２１をかぶせる。これにより電線１４，１５，１６の端末は、キャップ部２１の内部に形成された保持片２５，２６，２７，２８により保持される。その後、電線端末キャップ１の挿入突起部２２を電線が取り外された電線挿入孔３１にキャップ部２１が電線挿入孔３１の開口周縁に当接するまで押し込み、挿入された挿入突起部２２を端子ねじ１８，１９を締め付けて固定するようにすれば、電線挿入孔３１がキャップ部２１により覆い塞がれる。このため、電線挿入孔３１の手前にキャップ部２１が当接されるので、電線挿入孔３１の内面と挿入突起部２２との隙間から針金等の導電体を挿入することはできなくなり、盗電を確実に防止することが可能となる。
【００２４】
また、端子８，９，１０から外した電線１４，１５，１６の端末に電線端末キャップ１を取り付け、この電線端末キャップ１の挿入突起部２２を電線が取り外された電線挿入孔３１に挿着しているので、取り外した電線１４，１５，１６とこれを装着すべき電線挿入孔３１との対応関係を明確にしておくことが可能となり、電線と端子とを再接続する際に誤接続を防止することが可時となる。
【００２５】
以上の構成においては、電線挿入孔周縁での封栓構造を電線端末キャップ１のキャップ部２１の頂部２３を電線挿入孔周縁に当接させることで構成するようにしたが、図３に示されるように、挿入突起部２２の途中に電線挿入孔３１よりも径の大きい鍔部３３を一体又は別体に形成し（図面においては一体に形成）、電線端末キャップ１の挿入突起部２２を電線挿入孔３１に挿入させた際にこの鍔部３３を電線挿入孔３１の開口周縁に当接させることで構成するようにしてもよい。
【００２６】
このような構成においても、電線端末キャップ１の挿入突起部２２を電線が取り外された電線挿入孔３１に対して挿入できるところまで挿入すれば、鍔部３３が電線挿入孔３１の開口周縁に当接され、電線挿入孔３１がこの鍔部３３により覆い塞がれる。このため、電線挿入孔３１の手前に鍔部３３が当接されるので、電線挿入孔３１の内面と挿入突起部２２との隙間から針金等の導電体を挿入することはできなくなり、盗電を確実に防止することが可能となる。
【００２７】
また、図４に示されるように、挿入突起部２２を、絶縁性の流動物質３４を充填した収容空間３５が内部に形成された外殻体３６で構成し、挿入突起部２２の基端部に、例えば厚さを薄くする等により外殻体を径方向に膨出可能とする膨出部３７を設け、挿入突起部２２を電線挿入孔３１に挿着した際に（挿入して端子ねじ１８，１９で締め付けた際に）、流動物質３４を挿入突起部２２の基端側へ移動させて外殻体３６の膨出部３７を膨出させ、膨出した膨出部３７を電線挿入孔３１の開口周縁に当接されることで封栓構造を構成するようにしてもよい。
【００２８】
このような構成においても、図４（ｂ）に示されるように、電線端末キャップ１の挿入突起部２２を電線挿入孔３１に挿入した後に、挿入された挿入突起部２２を端子ねじ１８，１９により締め付けることで、挿入突起部内部の流動物質が基端部側へ移動して膨出部３７が径方向に膨出して電線挿入孔３１の開口周縁に当接されることが可能となるので、電線挿入孔３１が覆い塞がれて電線挿入孔３１の内壁と挿入突起部２２との間の隙間に針金等の導電体を挿入することができなくなり、盗電を防止することが可能となる。
【００２９】
尚、上述の構成においては、それぞれの電線の端末に取り付ける電線端末キャップ１はそれぞれ独立の部材で構成するようにしたが、複数の電線端末キャップを一体的に構成するようにしても、それぞれの電線端末キャップ１のキャップ部２１の側面に、他のキャップ部と連結する連結部材を一体に形成しておき、この連結部材により複数の電線端末キャップを連結させるようにしてもよい。
【００３０】
例えば、図５に示されるように、キャップ部２１の側面に、間隔をあけて対峙するように設けられた対をなすアーム部３８と、アーム部間を押し広げて挿入し、アーム部３８の先端部を収容する孔又は凹部（図面では孔３９ａ）が形成されたアーム受け部３９とを有して構成し、アーム受け部３９をアーム部３８間に押入させることでアーム部３８の先端をアーム受け部３９の孔３９ａに収容して連結するようにしてもよい。
【００３１】
尚、以上の構成において、盗電しようとした形跡を残しておくために、図２乃至５の構成においては、例えば、挿入突起部２２のキャップ部２１と鍔部３３との間に、径を小さくしたり、切り込みを入れるなどして破談し易くした破談部を形成しておき、過度の力が加わると破談部を破談させるようにしてもよい。
【００３２】
また、上述の構成においては、電線端末キャップ１を電線を保持するキャップ部２１とこれに一体化した挿入突起部２２とを電線端末キャップの長手方向で分けて構成する例を示したが、図６に示されるように、キャップ部２１が挿入突起部を兼ねるような形状にしてもよい。即ち、電線端末キャップ１の全体を、絶縁性の流動物質４０を充填した収容空間４１が形成された合成ゴムなどの容易に形状変形可能な外殻体４２で構成し、この電線端末キャップの挿入端部を電線挿入孔３１に挿入できる程度の径に形成すると共に、挿入端部と反対側の基端部に電線を挿入する差込口２４を開口させたものとしてもよい。
【００３３】
このような構成においては、電線の端末を差込口２４から挿入して電線の端末に電線端末キャップ１を取り付けた後に、挿入端部から電線挿入孔３１に挿入すれば、電線端末キャップ１が電線挿入孔３１の形状に合わせて変形されつつ挿入され、その後、端子ねじ１８，１９を締め付ければ、端子ねじ１８，１９を受けている部分が凹むように変形される。このため、電線端末キャップ１を電線挿入孔３１に挿入する際、及び、端子ねじ１８，１９を締め付ける際に、内部の流動物質４０が移動して電線端末キャップ１の基端側へ集められ、この基端側が膨張して電線挿入孔３１の開口周縁に当接される。
【００３４】
したがって、このような構成においても、電線端末キャップ１の膨出部分により電線挿入孔３１が覆い塞がれるので、電線挿入孔３１に針金等の導電体を挿入することはできず、盗電を防止することが可能となる。
【図面の簡単な説明】
【００３５】
【図１】図１は、この発明に係る電線端末キャップを用いる電力量計を示す図である。
【図２】図２は、電線端末キャップの例を示す図であり、（a）は電線端末キャップの単品図、（ｂ）は電線端末キャップを端子ブロックに取り付けた状態を示す側面図である。
【図３】図３は、電線端末キャップの他の例を示す図であり、（a）は電線端末キャップの単品図、（ｂ）は電線端末キャップを端子ブロックに取り付けた状態を示す側面図である。
【図４】図４は、電線端末キャップの他の例を示す図であり、（a）は電線端末キャップの単品図、（ｂ）は電線端末キャップを端子ブロックに取り付けた状態を示す側面図である。
【図５】図５は、電線端末キャップの他の例を示す図であり、(a)は電線端末キャップに連結部材を設けた例を示す単品図、（ｂ）は電子電線端末キャップに連結部材を設けた例を示す斜視図、（ｃ）は複数の電線端末キャップを連結させた状態を示す底面図である。
【図６】図６は、電線端末キャップの他の例を示す図であり、（a）は電線端末キャップの単品図、（ｂ）は電線端末キャップを端子ブロックに取り付けた状態を示す側面図である。
【図７】図７は、三相３線式の電力量計のうち低圧電力契約を解除した場合における電線の端末を端子から取り外した状態を示す従来例であり、(a)はその正面図、（ｂ）はその斜視図である。
【符号の説明】
【００３６】
１  電線端末キャップ
１４，１５，１６  電線
２１  キャップ部
２２  挿入突起部
２４  差込口
３１  電線挿入孔
８，９，１０  端子
【図１】
0005294665.tif 000002
【図２】
0005294665.tif 000003
【図３】
0005294665.tif 000004
【図４】
0005294665.tif 000005
【図５】
0005294665.tif 000006
【図６】
0005294665.tif 000007
【図７】
0005294665.tif 000008